(57)【要約】【課題】形状や厚みが異なる種々の被検レンズのレンズ中心厚を、被検レンズの外観品質を低下させることなく正確に測定することが容易なレンズ中心厚測定器を提供すること。【解決手段】測距用のセンサヘッド２２ａ，２２ｂを有する２台の非接触型測長計２ａ，２ｂと、これら２台の非接触型測長計それぞれのセンサヘッドを互いに対向させ、各センサヘッドの測定軸ＭＡ１，ＭＡ２を互いに一致させて支持する測長計支持部３Ａと、センサヘッド間に設けられ、被検レンズＬ１の少なくとも光学中心Ｌｃ，Ｌｄを露出させて且つ該被検レンズの光軸Ｌｘを測定軸に一致させて該被検レンズを保持するレンズ保持部４Ａとを用いてレンズ中心厚測定器１Ａを構成する。【選択図】  図２
2011145135.tif 000002
【特許請求の範囲】
【請求項１】
測距用のセンサヘッドを有する２台の非接触型測長計と、
前記２台の非接触型測長計それぞれの前記センサヘッドを互いに対向させ、各センサヘッドの測定軸を互いに一致させて支持する測長計支持部と、
前記センサヘッド間に設けられ、被検レンズの少なくとも光学中心を露出させて且つ該被検レンズの光軸を前記測定軸に一致させて該被検レンズを保持するレンズ保持部と、を備える、レンズ中心厚測定器。
【請求項２】
請求項１に記載のレンズ中心厚測定器において、
前記被検レンズの光軸を前記測定軸に一致させるための芯出し部を更に有する、レンズ中心厚測定器。
【請求項３】
請求項２に記載のレンズ中心厚測定器において、
前記芯出し部は、前記測定軸に中心軸を一致させて配置された一対のヤトイを有し、該一対のヤトイにより前記被検レンズの厚さ方向両側から該被検レンズを挟み込んで固定することにより、前記被検レンズの光軸を前記測定軸に一致させる、レンズ中心厚測定器。
【請求項４】
請求項２に記載のレンズ中心厚測定器において、
前記芯出し部は、前記測定軸と直交する方向に配置された一対のヤトイを有し、該一対のヤトイにより前記被検レンズの径方向外側から該被検レンズを挟み込んで固定すること
により、前記被検レンズの光軸を前記測定軸に一致させる、レンズ中心厚測定器。
【請求項５】
請求項２に記載のレンズ中心厚測定器において、
前記芯出し部は、前記被検レンズを前記レンズ保持部上に固定するレンズ固定部を有し、
前記レンズ固定部は、前記被検レンズの光軸をパッシブアライメントにより前記測定軸に一致させるための基準部位を有する、レンズ中心厚測定器。
【請求項６】
請求項１〜５のいずれか一つに記載のレンズ中心厚測定器において、
前記レンズ保持部に保持された前記被検レンズの位置を前記測定軸に沿って変位させる位置調整機構を更に有する、レンズ中心厚測定器。
【請求項７】
請求項１〜６のいずれか一つに記載のレンズ中心厚測定器において、
前記センサヘッド間の距離を調整する距離調整機構を更に有する、レンズ中心厚測定器。
【請求項８】
２台の非接触型測長計が有するセンサヘッドであって、それぞれの測定軸を互いに一致させて互いに対向配置された各センサヘッドの間に、被検レンズの少なくとも光学中心を露出させて且つ該被検レンズの光軸を前記測定軸に一致させて該被検レンズを配置する工程と、
前記２台の非接触型測長計の各々により、前記センサヘッドから前記被検レンズまでの距離を測定する工程と、
前記２台の非接触型測長計の各々が測定した前記被検レンズまでの距離の和を前記センサヘッド間の距離から差し引いて、前記被検レンズのレンズ中心厚を求める工程と、を含む、レンズ中心厚測定方法。
【請求項９】
請求項８に記載のレンズ中心厚測定方法において、
前記センサヘッド間の距離を測定する工程を更に含む、レンズ中心厚測定方法。
【請求項１０】
２台の非接触型測長計が有するセンサヘッドであって、それぞれの測定軸を互いに一致させて互いに対向配置された各センサヘッドの間に、レンズ中心厚が既知のマスターレンズの少なくとも光学中心を露出させて且つ該マスターレンズの光軸を前記測定軸に一致させて該マスターレンズを配置する工程と、
前記２台の非接触型測長計の各々により、前記センサヘッドから前記マスターレンズまでの距離を測定する第１測定工程と、
前記センサヘッド間に、被検レンズの少なくとも光学中心を露出させて且つ該被検レンズの光軸を前記測定軸に一致させて該被検レンズを配置する工程と、
前記２台の非接触型測長計の各々により、前記センサヘッドから前記被検レンズまでの距離を測定する第２測定工程と、
前記第１測定工程で測定した前記マスターレンズまでの距離の和と、前記第２測定工程で測定した前記被検レンズまでの距離の和との差を求め、該差と前記マスターレンズのレンズ中心厚とから前記被検レンズのレンズ中心厚を求める工程と、を含む、レンズ中心厚測定方法。
【発明の詳細な説明】
【技術分野】
【０００１】
本発明は、レンズ中心厚測定器およびレンズ中心厚測定方法に関するものである。
【背景技術】
【０００２】
レンズ中心厚を測定する測定器としては、片方のレンズ面のみに測定端子を接触させてレンズ中心厚を測定する片面接触型や、両方のレンズ面の各々に測定端子を接触させてレンズ中心厚を測定する両面接触型の測定器が用いられている。片凸レンズや片凹レンズのように片方のレンズ面が平面に成形された被検レンズのレンズ中心厚の測定には、片面接触型の測定器が用いられ、両凸レンズや両凹レンズやメニスカスレンズのように両方のレンズ面が曲面に成形された被検レンズのレンズ中心厚の測定には、両面接触型の測定器が用いられる。
【０００３】
例えば特許文献１には、被検レンズが置かれる測定台と、ダイヤルゲージと、該ダイヤルゲージのスピンドルの先端に取り付けられた測定端子と、ダイヤルゲージを支持するための支柱と、該支柱に取り付けられてダイヤルゲージを測定台の上方に保持するブラケットとを備え、平面に成形されているレンズ面を下にして測定台上にセットされた被検レンズのレンズ中心厚をダイヤルゲージにより測定する片面接触型測定器が記載されている。
【０００４】
この片面接触型測定器によりレンズ中心厚を測定するにあたっては、まず、ダイヤルゲージのスピンドルの上下位置を調整して測定端子を測定台の上面に当接させ、このときのダイヤルゲージの計測値を０（ゼロ）にリセットする。この後、ダイヤルゲージのスピンドルを上方に移動させ、被検レンズをそのレンズ中心（光軸）が測定端子の下方にくるように測定台上にセットしてから当該スピンドルを下降させて、測定端子をレンズ中心に当接させる。このときのダイヤルゲージの計測値がレンズ中心厚となる。
【０００５】
また、特許文献２には、コラムに取り付けられた第１ブラケットによりスピンドルを下側にして保持された被検査用ダイヤルゲージと、該被検査用ダイヤルゲージのスピンドルの先端に取り付けられた測定端子と、上記のコラムに取り付けられた第２ブラケットによりスピンドルを上側にして保持された基準測長器（マイクロメータヘッド）とを備え、両方のレンズ面が曲面に成形された被検レンズの上下方向から上記の測定端子と基準測長器のスピンドルとを当該被検レンズに当接させることでレンズ中心厚を測定する両面接触型測定器が記載されている。
【０００６】
この両面接触型測定器によりレンズ中心厚を測定するにあたっては、まず、被検査用ダイヤルゲージのスピンドルの上下位置を調整し、上記の測定端子をマクロメータヘッドのスピンドルの上端面に当接させて、このときの被検査用ダイヤルゲージの計測値を０（ゼロ）にリセットする。この後、被検査用ダイヤルゲージのスピンドルを上方に移動させ、被検レンズをそのレンズ中心（光軸）が被検査用ダイヤルゲージの測定端子の下方、マイクロメータヘッドのスピンドルの上方にくるようにセットしてから、被検査用ダイヤルゲージのスピンドルを下降させて上記の測定端子をレンズ中心に当接させる。このときの被検査用ダイヤルゲージの計測値がレンズ中心厚となる。
【０００７】
従来の片面接触型測定器および両面接触型測定器の各々では、被検レンズの形状やレンズ面の曲率半径等に応じて測定端子を交換することができる。球状、平板状、リング状等の測定端子があり、使用する測定端子の形状を適宜選択することで、より正確にレンズ中心厚を測定することが可能になる。
【先行技術文献】
【特許文献】
【０００８】
【特許文献１】特開２００１−２６４００３号公報
【特許文献２】特公平４−３１５３１号公報
【発明の概要】
【発明が解決しようとする課題】
【０００９】
しかしながら、従来の接触型測定器では、レンズ中心厚をより正確に測定するために測定端子を別形状のものと交換したときに、測定端子の取付け精度が変わったり測定器の測定軸が被検レンズの光軸から外れたりすることがあるため、測定者によって測定値にばらつきが生じる等、測定の再現性が比較的低い。このため、レンズ中心厚を正確に測定し難い。また、測定端子をレンズ面に当接させるので、研磨後の被検レンズでは、レンズ中心厚の測定時に測定端子との接触により外観品質が低下してしまうことがある。
【００１０】
本発明は上記の事情に鑑みてなされたものであり、形状や厚みが異なる種々の被検レンズのレンズ中心厚を、該被検レンズの外観品質を低下させることなく正確に測定することが容易なレンズ中心厚測定器およびレンズ中心厚測定方法を提供することを目的とする。
【課題を解決するための手段】
【００１１】
本発明のレンズ中心厚測定器は、測距用のセンサヘッドを有する２台の非接触型測長計と、前記２台の非接触型測長計それぞれの前記センサヘッドを互いに対向させ、各センサヘッドの測定軸を互いに一致させて支持する測長計支持部と、前記センサヘッド間に設けられ、被検レンズの少なくとも光学中心を露出させて且つ該被検レンズの光軸を前記測定軸に一致させて該被検レンズを保持するレンズ保持部と、を備える。
【００１２】
本発明のレンズ中心厚測定器には、被検レンズの光軸を測定軸に一致させるための芯出し部を設けることができる。
【００１３】
上記の芯出し部としては、測定軸に中心軸を一致させて配置された一対のヤトイを有し、一対のヤトイにより被検レンズの厚さ方向両側から被検レンズを挟み込んで固定することにより、被検レンズの光軸を測定軸に一致させるものを用いることができる。
【００１４】
また、上記の芯出し部としては、測定軸と直交する方向に配置された一対のヤトイを有し、一対のヤトイにより被検レンズの径方向外側から被検レンズを挟み込んで固定することにより、被検レンズの光軸を前記測定軸に一致させるものを用いることもできる。
【００１５】
さらには、上記の芯出し部として、被検レンズをレンズ保持部上に固定する１つのレンズ固定部を有し、レンズ固定部は、被検レンズの光軸をパッシブアライメントにより測定軸に一致させるための基準部位を有するものを用いることができる。
【００１６】
本発明のレンズ中心厚測定器には、レンズ保持部に配置された被検レンズの位置を測定軸に沿って変位させる位置調整機構を設けることもできる。
【００１７】
本発明のレンズ中心厚測定器には、センサヘッド間の距離を調整する距離調整機構を設けることもできる。
【００１８】
本発明のレンズ中心厚測定器には、センサヘッド間の距離を測定する測距部を設けることもできる。
【００１９】
一方、本発明のレンズ中心厚測定方法は、２台の非接触型測長計が有するセンサヘッドであって、それぞれの測定軸を互いに一致させて互いに対向配置された各センサヘッドの間に、被検レンズの少なくとも光学中心を露出させて且つ該被検レンズの光軸を前記測定軸に一致させて該被検レンズを配置する工程と、前記２台の非接触型測長計の各々により、前記センサヘッドから前記被検レンズまでの距離を測定する工程と、前記２台の非接触型測長計の各々が測定した前記被検レンズまでの距離の和を前記センサヘッド間の距離から差し引いて、前記被検レンズのレンズ中心厚を求める工程と、を含む。
【００２０】
本発明のレンズ中心厚測定方法には、センサヘッド間の距離を測定する工程を更に含ませることができる。
【００２１】
また、本発明の他のレンズ中心厚測定方法は、２台の非接触型測長計が有するセンサヘッドであって、それぞれの測定軸を互いに一致させて互いに対向配置された各センサヘッドの間に、レンズ中心厚が既知のマスターレンズの少なくとも光学中心を露出させて且つ該マスターレンズの光軸を前記測定軸に一致させて該マスターレンズを配置する工程と、前記２台の非接触型測長計の各々により、前記センサヘッドから前記マスターレンズまでの距離を測定する第１測定工程と、前記センサヘッド間に、被検レンズの少なくとも光学中心を露出させて且つ該被検レンズの光軸を前記測定軸に一致させて該被検レンズを配置する工程と、前記２台の非接触型測長計の各々により、前記センサヘッドから前記被検レンズまでの距離を測定する第２測定工程と、前記第１測定工程で測定した前記マスターレンズまでの距離の和と、前記第２測定工程で測定した前記被検レンズまでの距離の和との差を求め、該差と前記マスターレンズのレンズ中心厚とから前記被検レンズのレンズ中心厚を求める工程と、を含む。
【発明の効果】
【００２２】
本発明のレンズ中心厚測定器では、２台の非接触型測長計それぞれのセンサヘッドの測定軸に被検レンズの光軸を一致させた後は、センサヘッドの測定軸が被検レンズの光軸から外れてしまうような作業を行うことなく、非接触の下に被検レンズのレンズ中心厚を測定することができるので、当該レンズ中心厚測定器によれば、形状や厚みが異なる種々の被検レンズのレンズ中心厚を該被検レンズの外観品質を低下させることなく正確に測定することが容易になる。
【００２３】
同様に、本発明のレンズ中心厚測定方法では、２台の非接触型測長計それぞれのセンサヘッドの測定軸に被検レンズの光軸を一致させた後は、センサヘッドの測定軸が被検レンズの光軸から外れてしまうような作業を行うことなく、非接触の下に被検レンズのレンズ中心厚を測定することができるので、当該レンズ中心厚測定方法によれば、形状や厚みが異なる種々の被検レンズのレンズ中心厚を該被検レンズの外観品質を低下させることなく正確に測定することが容易になる。
【図面の簡単な説明】
【００２４】
【図１】図１は、本発明のレンズ中心厚測定器の一基本構成例を示す概略図である。
【図２】図２は、図１に示したレンズ中心厚測定器に被検レンズをセットした状態を示す概略図である。
【図３】図３は、本発明のレンズ中心厚測定方法によるレンズ中心厚の測定手順の一例を示すフローチャートである。
【図４】図４は、本発明のレンズ中心厚測定器のうちで、センサヘッド間の距離を調整する距離調整機構を備えたものの一例を示す概略図である。
【図５】図５は、本発明のレンズ中心厚測定方法によるレンズ中心厚の測定手順の他の例を示すフローチャートである。
【図６】図６は、本発明のレンズ中心厚測定器のうちで、被検レンズを芯出するための芯出し部を備えたものの一例を示す概略図である。
【図７】図７は、本発明のレンズ中心厚測定方法によるレンズ中心厚の測定手順の更に他の例を示すフローチャートである。
【図８】図８は、本発明のレンズ中心厚測定器のうちで、被検レンズを芯出するための芯出し部を備えたものの他の例を示す概略図である。
【図９】図９は、図８に示した芯出し部と被検レンズとを概略的に示す上面図である。
【図１０】図１０は、本発明のレンズ中心厚測定器のうちで、被検レンズを芯出するための芯出し部を備えたものの更に他の例を示す概略図である。
【図１１】図１１は、本発明のレンズ中心厚測定器のうちで、位置調整機構が芯出し部と併設されていないものの一例を示す概略図である。
【図１２】図１２は、本発明のレンズ中心厚測定器のうちで、被検レンズのレンズ中心厚を算出する演算部を備えたものの一例を示す概略図である。
【発明を実施するための形態】
【００２５】
以下、本発明のレンズ中心厚測定器およびレンズ中心厚測定方法それぞれの実施の形態について、図面を参照して詳細に説明する。なお、本発明のレンズ中心厚測定器およびレンズ中心厚測定方法は、下記の形態に限定されるものではない。
【００２６】
（実施の形態１）
図１は、本発明のレンズ中心厚測定器の一基本構成例を示す概略図であり、図２は、図１に示したレンズ中心厚測定器に被検レンズをセットした状態を示す概略図である。これら図１および図２に示すレンズ中心厚測定器１Ａは、被検レンズＬ１（図２参照）の厚さ方向両側に配置した２台の非接触型測長計２ａ，２ｂの各々により被検レンズＬ１までの距離を測定する。そのために、レンズ中心厚測定器１Ａは、２台の非接触型測長計２ａ，２ｂに加えて、これら２台の非接触型測長計２ａ，２ｂそれぞれの測長計本体２１ａ，２１ｂを支持することで各非接触型測長計２ａ，２ｂのセンサヘッド２２ａ，２２ｂを支持する測長計支持部３Ａと、センサヘッド２２ａ，２２ｂ間に設けられたレンズ保持部４Ａとを備えている。
【００２７】
レンズ中心厚の測定者は、非接触型測長計２ａのセンサヘッド２２ａと非接触型測長計２ｂのセンサヘッド２２ｂとの間の距離Ｄと、各非接触型測長計２ａ，２ｂの測定結果とを用いて被検レンズＬ１のレンズ中心厚を求める。以下、レンズ中心厚測定器１Ａの各構成要素について説明した後、レンズ中心厚測定器１Ａを用いた被検レンズＬ１のレンズ中心厚の測定方法について説明する。
【００２８】
レンズ中心厚測定器１Ａを構成する各非接触型測長計２ａ，２ｂは、対象物と接触することなく対象物までの距離を測定するものであり、距離算出部（図示せず）等が内蔵された測長計本体２１ａ，２１ｂと、センサヘッド２２ａ，２２ｂと、測定結果を表示する表示部２３ａ，２３ｂとを有している。個々の非接触型測長計２ａ，２ｂとしては、レーザ光等を測定光として用いた光学方式の測長計や、超音波方式の測長計を用いることができる。導電性材料を用いた反射防止膜等が被検レンズＬ１に設けられている場合には、渦電流方式の測長計を非接触型測長計２ａ，２ｂとして用いることもできる。なお、各非接触型測長計２ａ，２ｂでは、測長計本体２１ａ，２１ｂにセンサヘッド２２ａ，２２ｂが組み込まれているが、センサヘッドが光ファイバやケーブル等により測長計本体に接続されて測長計本体の外部に引き出されている非接触型測長計を用いることもできる。
【００２９】
測長計支持部３Ａは、上側支持部３１、下側支持部３２、および上側支持部３１と下側支持部３２とを連結する連結部３３を有しており、上側支持部３１は連結部３３の上端側から水平に、また下側支持部３２は連結部３３の下端側から水平に張り出している。この測長計支持部３Ａは、各非接触型測長計２ａ，２ｂのセンサヘッド２２ａ，２２ｂを互いに対向させて、またセンサヘッド２２ａの測定軸ＭＡ１とセンサヘッド２２ｂの測定軸ＭＡ２とを互いに一致させて、これらのセンサヘッド２２ａ，２２ｂを支持する。図示の例ではセンサヘッド２２ａ，２２ｂが測長計本体２１ａ，２１ｂに組み込まれているので、測長計支持部３Ａは、測長計本体２１ａ，２１ｂを支持することでセンサヘッド２２ａ，２２ｂを支持する。上側支持部３１に測長計本体２１ａが取り付けられており、下側支持部３２に測長計本体２１ｂが取り付けられている。
【００３０】
測長計支持部３Ａへの各測長計本体２１ａ，２１ｂの取付けは、例えば、レンズ中心厚測定器１Ａの製造者側で、各測定軸ＭＡ１，ＭＡ２が互いに一致し、かつセンサヘッド２２ａ，２２ｂ間の距離Ｄが固定値となるようにして行われる。また、測定者がレンズ中心厚の測定に先だって各測長計本体２１ａ，２１ｂを測長計支持部３Ａに取り付けるようにレンズ中心厚測定器１Ａを構成することもできる。
【００３１】
測定者が各測長計本体２１ａ，２１ｂを測長計支持部３Ａに取り付けるようにレンズ中心厚測定器１Ａを構成する場合には、例えば、各測定軸ＭＡ１，ＭＡ２をパッシブアライメントにより互いに一致させるための面、凹部、凸部等の基準部位（軸合わせ用の基準部位）が測長計支持部３Ａの製造時に上側支持部３１および下側支持部３２の各々に形成されると共に、各測長計本体２１ａ，２１ｂに軸合わせ用の基準部位が予め形成される。これら軸合わせ用の基準部位は、上側支持部３１、下側支持部３２、および各測長計本体２１ａ，２１ｂ毎に、レンズ中心厚測定器１Ａでの前後軸方向および左右軸方向の各々に少なくとも１つずつ配置される。また、測長計本体２１ａに形成された軸合わせ用の基準部位に対するセンサヘッド２２ａの位置公差、および測長計本体２１ｂに形成された軸合わせ用の基準部位に対するセンサヘッド２２ｂの位置公差がそれぞれ所定の値となるように、各非接触型測長計２ａ，２ｂが作製される。
【００３２】
上側支持部３１に形成された軸合わせ用の基準部位と測長計本体２１ａに形成された軸合わせ用の基準部位とを互いに密着させて上側支持部３１に測長計本体２１ａを固定し、下側支持部３２に形成された軸合わせ用の基準部位と測長計本体２１ｂに形成された軸合わせ用の基準部位とを互いに密着させて下側支持部３２に測長計本体２１ｂを固定することにより、センサヘッド２２ａの測定軸ＭＡ１とセンサヘッド２２ｂの測定軸ＭＡ２とを互いに一致させることができる。
【００３３】
センサヘッド２２ａ，２２ｂ間の距離Ｄは、例えば、測長計支持部３Ａに各測長計本体２１ａ，２１ｂをパッシブアライメントにより取り付けた後に測定者が測定する。また、測長計支持部３Ａに各測長計本体２１ａ，２１ｂをパッシブアライメントにより取り付けたときに距離Ｄが所定値となるように、距離合わせ用の基準部位を測長計支持部３Ａおよび各測長計本体２１ａ，２１ｂに形成してもよい。距離Ｄを複数の値の中から測定者が任意に選択することができるように、測長計支持部３Ａおよび各測長計本体２１ａ，２１ｂの各々に距離合わせ用の基準部位を複数形成することもできる。
【００３４】
上側支持部３１に形成された距離合わせ用の基準部位と測長計本体２１ａに形成された距離合わせ用の基準部位とを互いに密着させて上側支持部３１に測長計本体２１ａを固定し、下側支持部３２に形成された距離合わせ用の基準部位と測長計本体２１ｂに形成された距離合わせ用の基準部位とを互いに密着させて下側支持部３２に測長計本体２１ｂを固定することにより、センサヘッド２２ａ，２２ｂ間の距離Ｄを所定値にすることができる。勿論、測定者が各測定軸ＭＡ１，ＭＡ２をアクティブアライメントにより互いに一致させて各測長計本体２１ａ，２１ｂを測長計支持部３Ａに取り付け、このときのセンサヘッド２２ａ，２２ｂ間の距離Ｄを測定者が測定するようにレンズ中心厚測定器１Ａを構成することも可能である。なお、図１および図２においては、各測定軸ＭＡ１，ＭＡ２を一本の一点鎖線で表している。
【００３５】
レンズ保持部４Ａは、被検レンズＬ１の光軸Ｌｘを各センサヘッド２２ａ，２２ｂの測定軸ＭＡ１，ＭＡ２に一致させて被検レンズＬ１をセンサヘッド２２ａ，２２ｂ間に保持するためのものであり、被検レンズＬ１が各レンズ面Ｌａ，Ｌｂ（図２参照）での少なくとも光学中心Ｌｃ，Ｌｄを露出させて配置されるレンズ支持部材４１Ａと、レンズ支持部材４１Ａをセンサヘッド２２ａ，２２ｂ間に保持する支持部（図示せず）とを有している。本実施の形態では、被検レンズＬ１は、各レンズ面Ｌａ，Ｌｂでの光学中心Ｌｃ，Ｌｄおよびその周辺を露出させてレンズ支持部材４１Ａに支持されている。
【００３６】
レンズ支持部材４１Ａは、互いに離隔して配置された２つの平板状部材４１ａ，４１ｂにより構成されている。各平板状部材４１ａ，４１ｂは、被検レンズＬ１での一方のレンズ面Ｌｂの曲面形状に対応した形状の支持面を有している。被検レンズＬ１は、レンズ面Ｌｂを当該支持面に面接触させてレンズ支持部材４１Ａ上に配置される。被検レンズＬ１の光軸Ｌｘを各センサヘッド２２ａ，２２ｂの測定軸ＭＡ１，ＭＡ２に一致させることができるように、例えば、レンズ支持部材４１Ａおよび被検レンズＬ１の各々に予めアライメントマークが付される。
【００３７】
上述の各構成要素を有するレンズ中心厚測定器１Ａによる被検レンズＬ１のレンズ中心厚の測定は、本発明のレンズ中心厚測定方法に従って、非接触型測長計２ａのセンサヘッド２２ａと非接触型測長計２ｂのセンサヘッド２２ｂとの間の距離Ｄと各非接触型測長計２ａ，２ｂの測定結果とから、例えば測定者が求める。以下、本発明のレンズ中心厚測定方法の一例について、図３を参照して具体的に説明する。
【００３８】
図３は、本発明のレンズ中心厚測定方法によるレンズ中心厚の測定手順の一例を示すフローチャートである。図示の手順は、図１および図２のレンズ中心厚測定器１Ａにより被検レンズＬ１（図２参照）のレンズ中心厚を測定する際の手順に相当し、図３に示すステップＳ１〜Ｓ６のうちのステップＳ１〜Ｓ４をこの順番で順次行うことにより被検レンズＬ１のレンズ中心厚を求める。
【００３９】
最初に行われるステップＳ１では、各非接触型測長計２ａ，２ｂの測長計本体２１ａ，２１ｂを測長計支持部３Ａ（図２参照）に取り付ける。このとき、非接触型測長計２ａのセンサヘッド２２ａと非接触型測長計２ｂのセンサヘッド２２ｂとを互いに対向させ、センサヘッド２２ａの測定軸ＭＡ１とセンサヘッド２２ｂの測定軸ＭＡ２（図２参照）とを互いに一致させる。また、測長計支持部３Ａへの各測長計本体２１ａ，２１ｂの取付け時にパッシブアライメントによりセンサヘッド２２ａ，２２ｂ間の距離Ｄ（図２参照）を所定値にするか、または測長計支持部３Ａへの各測長計本体２１ａ，２１ｂの取付け後にセンサヘッド２２ａ，２２ｂ間の距離Ｄを測定者が測定する。なお、レンズ中心厚測定器１Ａのメーカにより測長計支持部３Ａへの各測長計本体２１ａ，２１ｂの取付けが行われている場合や、測長計支持部３Ａへの各測長計本体２１ａ，２１ｂの取付けが測定者により既に終わっている場合には、ステップＳ１は省略される。
【００４０】
ステップＳ２では、被検レンズＬ１の光軸Ｌｘ（図２参照）を各測定軸ＭＡ１，ＭＡ２に一致させて、被検レンズＬ１をセンサヘッド２２ａ，２２ｂ間に配置する。具体的には、被検レンズＬ１の各レンズ面Ｌａ，Ｌｂ（図２参照）での光学中心Ｌｃ，Ｌｄおよびその周辺を露出させて、かつ被検レンズＬ１の光軸Ｌｘを測定軸ＭＡ１，ＭＡ２に一致させて、被検レンズＬ１をレンズ保持部４Ａのレンズ支持部材４１Ａ（図２参照）上に配置する。
【００４１】
ステップＳ３では、各非接触型測長計２ａ，２ｂによりセンサヘッド２２ａ，２２ｂから被検レンズＬ１までの距離を測定する。具体的には、レンズ面Ｌａ，Ｌｂまでの距離を測定する。非接触型測長計２ａはセンサヘッド２２ａからレンズ面Ｌａまでの距離を測定し、非接触型測長計２ｂはセンサヘッド２２ｂからレンズ面Ｌｂまでの距離を測定する。
【００４２】
ステップＳ４では、各非接触型測長計２ａ，２ｂが測定した被検レンズＬ１までの距離の和をセンサヘッド２２ａ，２２ｂ間の距離Ｄから差し引いて、被検レンズＬ１のレンズ中心厚を求める。非接触型測長計２ａの測定値が表示部２３ａ（図２参照）に表示され、非接触型測長計２ｂの測定値が表示部２３ｂ（図２参照）に表示されるので、測定者は、各表示部２３ａ，２３ｂの表示値から上記の和を求めることができる。
【００４３】
この後に行われるステップＳ５では、レンズ保持部４Ａから被検レンズＬ１を取り外し、ステップＳ６では、レンズ中心厚を測定すべき別の被検レンズがあるか否かを測定者が判断する。別の被検レンズがないときには測定を終了し、別の被検レンズがあるときにはステップＳ２に戻ってステップＳ２以降を繰り返す。
【００４４】
上述のようにして本発明のレンズ中心厚測定方法により被検レンズＬ１のレンズ中心厚を測定することができるレンズ中心厚測定器１Ａでは、接触型測定器を用いてレンズ中心厚を測定する際に用いられる測定端子が不要であるので、測定端子の交換も不要である。このため、各センサヘッド２２ａ，２２ｂの測定軸ＭＡ１，ＭＡ２に被検レンズＬ１の光軸Ｌｘを一致させた後は、センサヘッド２２ａ，２２ｂの測定軸ＭＡ１，ＭＡ２が被検レンズＬ１の光軸Ｌｘから外れてしまうような作業を行うことなく、非接触の下に被検レンズＬ１のレンズ中心厚を測定することができる。
【００４５】
したがって、レンズ中心厚測定器１Ａを用いて被検レンズのレンズ中心厚を測定すれば、接触型測定器を用いてレンズ中心厚を測定する場合に比べて、形状や厚みが異なる種々の被検レンズのレンズ中心厚をその外観品質を低下させることなく正確に測定することが容易になる。また、接触型測定器を用いてレンズ中心厚を正確に測定するために行われる測定端子の交換作業が不要であるので、測定の再現性を向上させ易い。測定端子の保管管理も不要である。
【００４６】
さらには、被検レンズの片側に配置した１台の光学方式の非接触型測長計により被検レンズに測定光を照射し、各レンズ面からの反射光に基づいてレンズ中心厚を測定しようとすると、奥側のレンズ面からの反射光の受光量が少ないために厚肉の被検レンズではレンズ中心厚を正確に測定し難くなるが、レンズ中心厚測定器１Ａでは、各非接触型測長計２ａ，２ｂとして光学方式のものを用いた場合でも、個々の非接触型測長計２ａ，２ｂが手前側のレンズ面からの反射光に基づいて該レンズ面までの距離を測定するので、レンズ中心厚を正確に測定し易い。
【００４７】
（実施の形態２）
本発明のレンズ中心厚測定器では、２台の非接触型測長計でのセンサヘッド間の距離を調整する距離調整機構を設けて、センサヘッド間の距離を測定軸に沿って可変に構成することができる。距離調整機構は手動式および電動式のいずれであってもよい。
【００４８】
図４は、センサヘッド間の距離を調整する距離調整機構を備えたレンズ中心厚測定器の一例を示す概略図である。同図に示すレンズ中心厚測定器１Ｂは、図２に示した測長計支持部３Ａに代えて測長計支持部３Ｂを備えているという点を除き、図２に示したレンズ中心厚測定器１Ａと同様の構成を有している。図４に示す構成要素のうちで図２に示した構成要素と共通するものについては、図２で用いた参照符号と同じ参照符号を付してその説明を省略する。
【００４９】
上記の測長計支持部３Ｂは、上側支持部３５、下側支持部３６、上側支持部３５と下側支持部３６とを連結する連結部３７、およびセンサヘッド２２ａ，２２ｂ間の距離Ｄを調整するための調整ねじ３８を有している。上側支持部３５は、レンズ保持部４Ａ上に張り出した第１張出し部３５ａと、第１張出し部３５ａの下方で外方に張り出した第２張出し部３５ｂとを有するクランク状に折曲しており、第２張出し部３５ｂには調整ねじ３８が螺入されるねじ孔（図４には現れていない）が設けられている。一方、下側支持部３６は、レンズ保持部４Ａの下方に張り出した第１張出し部３６ａと、第１張出し部３６ａの上方で外方に張り出した第２張出し部３６ｂとを有するクランク状に折曲しており、第２張出し部３６ｂには、調整ねじ３８が挿通される貫通孔（図４には現れていない）が設けられている。ただし、上記の貫通孔での調整ねじ３８の貫通長は、調整ねじ３８に設けられたストッパ（図示せず）により一定長に保たれる。
【００５０】
また、上側支持部３５と連結部３７とは、上側支持部３５が連結部３７に沿って上下方向に滑動可能に、かつ連結部３７を軸とした上側支持部３５の回転運動は不能に連結されており、下側支持部３６と連結部３７とは互いに固定されている。したがって、調整ねじ３８を上記のねじ孔への螺入方向に回転させると上側支持部３５が連結部３７に沿って下方向に滑動し、螺入方向とは逆方向に回転させると上側支持部３５が連結部３７に沿って上方向に滑動する。図４では、上側支持部３５の移動方向を実線の矢印Ａで示している。
【００５１】
上側支持部３５の第１張出し部３５ａに非接触型測長計２ａの測長計本体２１ａが取り付けられており、下側支持部３６の第１張出し部３６ａに非接触型測長計２ｂの測長計本体２１ｂが取り付けられているので、レンズ中心厚測定器１Ｂでは、調整ねじ３８の回転方向および回転量を測定者が手作業で調整することにより、測長計本体２１ａを測定軸ＭＡ１，ＭＡ２に沿って移動させてセンサヘッド２２ａ，２２ｂ間の距離Ｄを調整することができる。上側支持部３５、下側支持部３６の第２張出し部３６ｂ、連結部３７、および調整ねじ３８は、前述した距離調整機構ＤＲを構成している。
【００５２】
なお、距離Ｄの調整可能範囲を個々の非接触型測長計２ａ，２ｂの測定可能範囲よりも長く設定する場合には、距離Ｄを測定するための測距部（図示せず）をレンズ中心厚測定器１Ｂに設けることが好ましい。この測距部は、例えば、接触型の測距計や非接触型の測距計を用いて、あるいは接触型の変位計や非接触型の変位計を用いて構成することができる。距離Ｄの調整可能範囲が個々の非接触型測長計２ａ，２ｂの測定可能範囲内に設定され、かつ非接触型測長計２ａまたは非接触型測長計２ｂにより距離Ｄを測定することが可能な場合には、上記の測距計は設けてもよいし、設けなくてもよい。
【００５３】
また、距離調整機構ＤＲに代えて、変位量を制御可能なリニアアクチュエータにより測長計支持部３Ｂの上側支持部３５を変位させることでセンサヘッド２２ａ，２２ｂ間の距離Ｄを調整することもできる。上記のリニアアクチュエータを用いて距離調整機構を構成した場合には、たとえ距離Ｄの調整可能範囲を個々の非接触型測長計２ａ，２ｂの測定可能範囲よりも長く設定するときでも、リニアアクチュエータの変位量が０（ゼロ）のときの距離Ｄとリニアアクチュエータの現在の変位量とから現在の距離Ｄを求めることができるので、上記の測距部を省略することができる。
【００５４】
上述のように構成されたレンズ中心厚測定器１Ｂによる被検レンズＬ１のレンズ中心厚の測定は、本発明のレンズ中心厚測定方法に従って行うことができる。この場合のレンズ中心厚測定方法は実施の形態１で説明したレンズ中心厚測定方法とは多少異なるので、以下、本発明のレンズ中心厚測定方法の他の例について、図５を参照して詳述する。
【００５５】
図５は、本発明のレンズ中心厚測定方法によるレンズ中心厚の測定手順の他の例を示すフローチャートである。図示の手順は、図４のレンズ中心厚測定器１Ｂにより被検レンズＬ１（図４参照）のレンズ中心厚を測定する際の手順に相当し、図５に示すステップＳ１，Ｓ１１，Ｓ１２，Ｓ２〜Ｓ６のうちのステップＳ１，Ｓ１１，Ｓ１２，Ｓ２〜Ｓ４をこの順番で順次行うことにより、被検レンズＬ１のレンズ中心厚を求める。ステップＳ１，Ｓ２〜Ｓ６は図３に示したステップＳ１〜Ｓ６と同様にして行われるので、ここではステップＳ１１，Ｓ１２についてのみ詳述する。
【００５６】
ステップＳ１１は、各測長計本体２１ａ，２１ｂ（図４参照）を測長計支持部３Ｂに取り付けた後に行われるステップであり、このステップＳ１１では、被検レンズＬ１をレンズ支持部材４１Ａ上に配置する際の作業のし易さ、各非接触測長計２ａ，２ｂの測定可能範囲の広さ、被検レンズＬ１の総厚等を考慮して、センサヘッド２２ａ，２２ｂ間の距離Ｄを測定者が距離調整機構ＤＲ（図４参照）により所望値に調整する。
【００５７】
次いで行われるステップＳ１２では、レンズ中心厚測定器１Ｂでのセンサヘッド２２ａ，２２ｂ間の距離Ｄの調整可能範囲の広さに応じて、例えば非接触型測長計２ａ、非接触型測長計２ｂ、または前述した測距部により距離Ｄを測定する。この後は、実施の形態１で説明したステップＳ２〜Ｓ４をこの順番で順次行って被検レンズＬ１のレンズ中心厚を求める。そして、被検レンズＬ１をレンズ保持部４Ａから取り外すステップＳ５、およびレンズ中心厚を測定すべき別の被検レンズがあるか否かを判断するステップＳ６を順次行い、レンズ中心厚を測定すべき別の被検レンズがあるときにはステップＳ１１に戻ってステップＳ１１以降を繰り返す。
【００５８】
上述のようにして被検レンズＬ１のレンズ中心厚を測定することができるレンズ中心厚測定器１Ｂでは、実施の形態１のレンズ中心厚測定器１Ａにおけるのと同様の理由から、接触型測定器を用いてレンズ中心厚を測定する場合に比べて、形状や厚みが異なる種々の被検レンズのレンズ中心厚をその外観品質を低下させることなく正確に測定することが容易である。また、接触型測定器を用いてレンズ中心厚を正確に測定するために行われる測定端子の交換作業が不要であるので、測定の再現性を向上させ易いと共に、測定端子の保管管理も不要である。
【００５９】
さらには、光学方式の非接触型測長計を被検レンズの片側に１台のみ配置してレンズ中心厚を測定する場合に比べ、厚肉の被検レンズでもそのレンズ中心厚を正確に測定し易い。そして、距離調整機構ＤＲによりセンサヘッド２２ａ，２２ｂ間の距離Ｄを調整することができるので、レンズ中心厚測定器１Ｂでは、形状や厚みが異なる種々の被検レンズのレンズ中心厚を測定可能な利便性が高いものを構成し易い。
【００６０】
（実施の形態３）
本発明のレンズ中心厚測定器には、被検レンズをその厚さ方向両側から挟み込んで固定することにより芯出しする、すなわち被検レンズの光軸を各非接触型測長計のセンサヘッドの測定軸に一致させるための芯出し部を設けることができる。
【００６１】
図６は、被検レンズを芯出するための芯出し部を備えたレンズ中心厚測定器の一例を示す概略図である。同図に示すレンズ中心厚測定器１Ｃは、図２に示したレンズ保持部４Ａに代えてレンズ保持部４Ｂを備えているという点、および芯出し部５Ａを備えているという点をそれぞれ除き、図４に示したレンズ中心厚測定器１Ｂと同様の構成を有している。図６に示す構成要素のうちで図４に示した構成要素と共通するものについては、図４で用いた参照符号と同じ参照符号を付してその説明を省略する。
【００６２】
上記のレンズ保持部４Ｂは、レンズ支持部材４１Ａに加えて、レンズ支持部材４１Ａに保持された被検レンズＬ１の位置を測定軸ＭＡ１，ＭＡ２に沿ってレンズ支持部材４１Ａごと変位させる位置調整機構ＰＲを有している。この位置調整機構ＰＲは、被検レンズＬ１の形状、大きさ、厚み等に応じて、あるいは各非接触型測長計２ａ，２ｂの測定可能範囲の広さに応じて被検レンズＬ１の位置を測定軸ＭＡ１，ＭＡ２に沿って変位可能にするものであり、２本のガイドシャフト４２ａ，４２ｂと、２つの連結部４３ａ，４３ｂとを含んでいる。各ガイドシャフト４２ａ，４２ｂは、レンズ支持部材４１Ａを支持すると共に、測定軸ＭＡ１，ＭＡ２に沿ってレンズ支持部材４１Ａを変位させる際の変位方向をガイドする。また、各連結部４３ａ，４３ｂは、レンズ支持部材４１Ａを各ガイドシャフト４２ａ，４２ｂに滑動可能かつ位置固定可能に連結する。
【００６３】
例えば、レンズ支持部材４１Ａを下方に変位させて被検レンズＬ１を配置した後に、レンズ支持部材４１Ａを測定軸ＭＡ１，ＭＡ２に沿って所望の高さまで上方に変位させるようにすれば、たとえ各非接触型測長計２ａ，２ｂの測定可能範囲が比較的狭く、センサヘッド２２ａ，２２ｂ間の距離Ｄ（図２参照）が比較的短い場合でも、レンズ支持部材４１Ａが距離Ｄの中央あたりに固定されている場合に比べて、被検レンズＬ１をレンズ支持部材４１Ａ上に容易に配置することできる。
【００６４】
芯出し部５Ａは、被検レンズＬ１をその厚さ方向両側から挟み込んで固定することにより被検レンズＬ１の芯出しを可能にする一対のヤトイ、すなわち上側ヤトイ５１ａと下側ヤトイ５１ｂとを有している。これら一対のヤトイ５１ａ，５１ｂの各々はリング状を呈しており、その厚さ、内径、外径等は、被検レンズＬ１の有効径の外側で被検レンズＬ１に当接するように、被検レンズＬ１の形状および大きさに応じて適宜選定されている。形状および大きさが異なる複数種類のヤトイ５１ａ，５１ｂを予め用意し、被検レンズＬ１の形状および大きさに応じてヤトイ５１ａ，５１ｂを所望のものに交換できるように芯出し部５Ａを構成してもよい。
【００６５】
また、芯出し部５Ａは、上記一対のヤトイ５１ａ，５１ｂに加えて、ヤトイ軸５２ａと、ヤトイ軸５２ａの外周にヤトイ軸５２ａと同軸に設けられた筒状のヤトイホルダー５３ａと、ヤトイ軸５２ｂと、ヤトイ軸５２ｂの外周にヤトイ軸５２ｂと同軸に設けられた筒状のヤトイホルダー５３ｂと、各ヤトイ軸５２ａ，５２ｂを測定軸ＭＡ１，ＭＡ２と同軸に保持するヤトイ軸支持部５４も有している。ヤトイホルダー５３ａはヤトイ軸５２ａに沿って滑動可能かつ位置固定可能に設けられており、ヤトイホルダー５３ａの下端に上側ヤトイ５１ａがヤトイホルダー５３ａと同軸に取り付けられている。同様に、ヤトイホルダー５３ｂはヤトイ軸５２ｂに沿って滑動可能かつ位置固定可能に設けられており、ヤトイホルダー５３ｂの上端に下側ヤトイ５１ｂがヤトイホルダー５３ｂと同軸に取り付けられている。
【００６６】
したがって、ヤトイ軸５２ａに沿ってヤトイホルダー５３ａを滑動させることにより、上側ヤトイ５１ａを被検レンズＬ１の上方から被検レンズＬ１のレンズ面Ｌａに当接させることができる。同様に、ヤトイ軸５２ｂに沿ってヤトイホルダー５３ｂを滑動させることにより、下側ヤトイ５１ｂを被検レンズＬ１の下方から被検レンズＬ１のレンズ面Ｌｂに当接させることができる。なお、ヤトイ軸支持部５４は、測長計支持部３Ｂの上方に配置された上側ヤトイ軸保持部５４ａと、測長計支持部３Ｂの下方に配置された下側ヤトイ軸保持部５４ｂと、これらのヤトイ軸保持部５４ａ，５４ｂを互いに連結させる連結部５４ｃとを有しており、図示を省略したジグにより測長計支持部３Ｂの下側支持部３６に固定されている。
【００６７】
上述のように構成されたレンズ中心厚測定器１Ｃによる被検レンズＬ１のレンズ中心厚の測定は、本発明のレンズ中心厚測定方法に従って行うことができる。この場合のレンズ中心厚測定方法は、実施の形態２で説明したレンズ中心厚測定方法と同様のものとすることもできるし、レンズ中心厚が既知のマスターレンズを利用して被検レンズの中心厚を求めるものとすることもできる。以下、本発明のレンズ中心厚測定方法の更に他の例について、図７を参照して詳述する。
【００６８】
図７は、本発明のレンズ中心厚測定方法によるレンズ中心厚の測定手順の更に他の例を示すフローチャートである。図示の手順は、レンズ中心厚が既知のマスターレンズを利用して図６のレンズ中心厚測定器１Ｃにより被検レンズＬ１（図６参照）のレンズ中心厚を測定する際の手順に相当し、図７に示すステップＳ１，Ｓ１１，Ｓ１２，Ｓ２１〜Ｓ２５，Ｓ２，Ｓ３１，Ｓ３〜Ｓ６のうちのステップＳ１からステップＳ４までを図示の順番で順次行うことにより、被検レンズＬ１のレンズ中心厚を求める。ステップＳ１，Ｓ１１，Ｓ１２，Ｓ２，Ｓ３は図５に示したＳ１，Ｓ１１，Ｓ１２，Ｓ２，Ｓ３と同様にして行われるので、ここではステップＳ２１〜Ｓ２５，Ｓ３１，Ｓ４についてのみ詳述する。
【００６９】
ステップＳ２１は、センサヘッド２２ａ，２２ｂ間の距離Ｄ（図５参照）を測定するステップＳ１２に続いて行われるステップであり、このステップＳ２１では、レンズ中心厚が既知のマスターレンズをレンズ保持部４Ｂ（図６参照）に配置する。具体的には、マスターレンズの光学中心およびその周辺を露出させてマスターレンズをレンズ支持部材４１Ａ（図６参照）上に配置する。このとき、必要に応じて、レンズ支持部材４１Ａの高さを位置調整機構ＰＲ（図６参照）により所望の高さに予め調整しておく。
【００７０】
ステップＳ２２では、必要に応じて測定者が位置調整機構ＰＲを手作業で操作してレンズ支持部材４１Ａを変位させることにより、レンズ保持部４Ｂに配置されたマスターレンズの位置を測定軸Ｍ１，Ｍ２に沿って所望位置まで変位させる。また、ステップＳ２３では、一対のヤトイ５１ａ，５１ｂ（図６参照）それぞれの位置を測定者が手作業で調整し、レンズ支持部材４１Ａ上に配置されているマスターレンズをその厚さ方向両側から一対のヤトイ５１ａ，５１ｂで挟み込んで固定することにより芯出しして、マスターレンズの光軸を測定軸ＭＡ１，ＭＡ２に一致させる。
【００７１】
例えば、下側ヤトイ５１ｂをマスターレンズでの下側（非接触型測長計２ｂ側）のレンズ面に当接させた後に、上側ヤトイ５１ａをマスターレンズでの上側（非接触型測長計２ａ側）のレンズ面に当接させてマスターレンズを各ヤトイ５１ａ，５１ｂで挟み込むことにより芯出しして、マスターレンズの光軸を測定軸ＭＡ１，ＭＡ２に一致させる。マスターレンズの形状および大きさが被検レンズＬ１（図６参照）の形状および大きさと同じである場合には、下側ヤトイ５１ｂの上面での内側稜部がその全周に亘って下側のレンズ面に接触し、上側ヤトイ５１ａの下面での外側稜部がその全周に亘って上側のレンズ面に接触するようにマスターレンズの位置を調整することにより、マスターレンズの光軸を測定軸ＭＡ１，ＭＡ２に一致させることができる。
【００７２】
ステップＳ２４では、各非接触型測長計２ａ，２ｂによりマスターレンズまでの距離を測定する（第１測定工程）。具体的には、マスターレンズの各レンズ面までの距離を測定する。非接触型測長計２ａは、そのセンサヘッドからマスターレンズでの上側のレンズ面までの距離を測定し、非接触型測長計２ｂは、そのセンサヘッドからマスターレンズでの下側のレンズ面までの距離を測定する。
【００７３】
ステップＳ２５では、レンズ保持部４Ｂからマスターレンズを取り外す。次いで、被検レンズＬ１をレンズ保持部４Ｂに配置するステップＳ２を行ってから、ステップＳ３１に移行する。
【００７４】
このステップＳ３１では、各ヤトイ５１ａ，５１ｂの位置を測定者が手作業で調整し、レンズ支持部材４１Ａに配置されている被検レンズＬ１をその厚さ方向両側から一対のヤトイ５１ａ，５１ｂで挟み込んで固定することにより、被検レンズＬ１の光軸を測定軸ＭＡ１，ＭＡ２に一致させる。すなわち、被検レンズＬ１を芯出しする。被検レンズＬ１の芯出しは、上述したステップＳ２３でのマスターレンズの芯出しと同様にして行われる。次いで、各非接触型測長計２ａ，２ｂのセンサヘッドにより被検レンズＬ１までの距離、具体的には各センサヘッドから該センサヘッドに対向するレンズ面までの距離を測定するステップＳ３（第２測定工程）を行ってから、ステップＳ４に移行する。
【００７５】
ステップＳ４では、各非接触型測長計２ａ，２ｂが測定したマスターレンズまでの距離の和と、各非接触型測長計２ａ，２ｂが測定した被検レンズＬ１までの距離の和との差を測定者が求め、この差とマスターレンズのレンズ中心厚とから被検レンズＬ１のレンズ中心厚を求める。具体的には、マスターレンズまでの距離の和の方が被検レンズＬ１までの距離の和よりも大きいときには、これらの和の差をとってその絶対値をマスターレンズのレンズ中心厚に加算することで被検レンズＬ１のレンズ中心厚を求め、マスターレンズまでの距離の和の方が被検レンズＬ１までの距離の和よりも小さいときには、これらの和の差をとってその絶対値をマスターレンズのレンズ中心厚から差し引くことで被検レンズＬ１のレンズ中心厚を求める。
【００７６】
この後は、被検レンズＬ１をレンズ保持部４Ｂから取り外すステップＳ５、およびレンズ中心厚を測定すべき別の被検レンズがあるか否かを判断するステップＳ６を順次行い、レンズ中心厚を測定すべき別の被検レンズがあるときにはステップＳ１１に戻ってステップＳ１１以降を繰り返す。
【００７７】
上述のようにして被検レンズＬ１のレンズ中心厚を測定することができるレンズ中心厚測定器１Ｃでは、実施の形態２のレンズ中心厚測定器１Ｂにおけるのと同様の理由から、接触型測定器を用いてレンズ中心厚を測定する場合に比べて、形状や厚みが異なる種々の被検レンズのレンズ中心厚をその外観品質を低下させることなく正確に測定することが容易である。また、接触型測定器を用いてレンズ中心厚を正確に測定するために行われる測定端子の交換作業が不要であるので、測定の再現性を向上させ易いと共に、測定端子の保管管理も不要である。
【００７８】
そして、光学方式の非接触型測長計を被検レンズの片側に１台のみ配置してレンズ中心厚を測定する場合に比べ、厚肉の被検レンズでもそのレンズ中心厚を正確に測定し易い。また、距離調整機構ＤＲによりセンサヘッド２２ａ，２２ｂ間の距離Ｄを調整することができるので、レンズ中心厚測定器１Ｃでは、形状や厚みが異なる種々の被検レンズのレンズ中心厚を測定可能な利便性が高いものを構成し易い。また、位置調整機構ＰＲを備えているので、各非接触型測長計２ａ，２ｂとして測定可能範囲が比較的狭いものを用いた場合でも、被検レンズＬ１をレンズ支持部材４１Ａ上に容易に配置することができる。
【００７９】
さらには、芯出し部５Ａにより被検レンズＬ１の光軸を測定軸ＭＡ１，ＭＡ２に容易に一致させることができるので、実施の形態１，２で説明したレンズ中心厚測定器１Ａ，１Ｂに比べても被検レンズＬ１のレンズ中心厚を正確に測定し易い。なお、被検レンズＬ１の形状および大きさに応じて各ヤトイ５１ａ，５１ｂを所望の形状および大きさのものに交換できるように芯出し部５Ａを構成した場合でも、各ヤトイ５１ａ，５１ｂは接触型測定器で用いられる測定端子に比べて大幅に大きいので、ヤトイの交換時にヤトイの取付け精度が変わったり測定軸ＭＡ１，ＭＡ２が互いにずれたりしてしまうことが起こり難い。
【００８０】
（実施の形態４）
本発明のレンズ中心厚測定器には、各非接触型測長計の測定軸と直交する方向に配置した一対のヤトイで被検レンズをその径方向外側から挟み込んで固定することにより、被検レンズを芯出しすることができる芯出し部を設けることもできる。この芯出し部を設けた場合、被検レンズとしては、光軸と幾何学的中心とが一致ないし略一致するように成形したものが用いられる。
【００８１】
ここで、光軸と幾何学的中心とが略一致した被検レンズとは、レンズ中心厚測定器に用いられている非接触型測長計の分解能の範囲内で光軸と幾何学的中心とがずれている被検レンズや、レンズ中心厚を測定するにあたって許容可能な測定誤差範囲内で光軸と幾何学的中心とがずれている被検レンズを含む。
【００８２】
図８は、被検レンズを芯出するための芯出し部を備えたレンズ中心厚測定器の他の例を示す概略図であり、図９は、図８に示した芯出し部と被検レンズとを概略的に示す上面図である。図８に示すレンズ中心厚測定器１Ｄは、図６に示したレンズ保持部４Ｂに代えてレンズ保持部４Ｃを備えているという点、および図６に示した芯出し部５Ａに代えて芯出し部５Ｂを備えているという点をそれぞれ除き、図６に示したレンズ中心厚測定器１Ｃと同様の構成を有している。図８に示す構成要素のうちで図６に示した構成要素と共通するものについては、図６で用いた参照符号と同じ参照符号を付してその説明を省略する。
【００８３】
上記のレンズ保持部４Ｃは、図６に示したレンズ支持部材４１Ａに代えてレンズ支持部材４１Ｂを有している。このレンズ支持部材４１Ｂは、所定の形状および大きさ（径）を有する貫通孔Ｔｈが設けられた１つの平板状部材であり、測定軸ＭＡ１，ＭＡ２が貫通孔Ｔｈを通るように各連結部４３ａ，４３ｂによりガイドシャフト４２ａ，４２ｂに連結されて、位置調整機構ＰＲを構成している。レンズ支持部材４１Ｂにおける貫通孔Ｔｈの大きさは、光軸と幾何学的中心とが一致ないし略一致するように成形された被検レンズＬ２での有効径以上とすることが好ましい。
【００８４】
芯出し部５Ｂは、被検レンズＬ２をその径方向外側から挟み込んで固定することにより被検レンズＬ２の芯出しを可能にする一対のヤトイ、すなわち移動ヤトイ５６ａと固定ヤトイ５６ｂとを有している。これら移動ヤトイ５６ａと固定ヤトイ５６ｂとは、各々の中心軸ＣＡ（水平軸；図９参照）を一致させてレンズ支持部材４１Ｂ上に配置されている。移動ヤトイ５６ａは、レンズ支持部材４１Ｂに設けられたガイド部（図示せず）に沿って各測定軸ＭＡ１，ＭＡ２と直交する方向に滑動可能かつ位置固定可能であり、当該方向は中心軸ＣＡの延在方向と平行である。一方、固定ヤトイ５６ｂには、図９に示すように調整穴Ａｈが形成されており、調整穴Ａｈを通ってレンズ支持部材４１Ｂに固定されるねじ等の固定具（図示せず）によりレンズ支持部材４１Ｂ上に固定されている。ただし、調整穴Ａｈは中心軸ＣＡに沿った方向に長い長穴であり、調整穴Ａｈ内での上記の固定具の相対的な位置を適宜変えて固定ヤトイ５６ｂをレンズ支持部材４１Ｂに固定することにより、固定ヤトイ５６ｂの取付け位置を変更することができる。
【００８５】
また、図９に示すように、移動ヤトイ５６ａにはＶ字状の切欠き部ＮＰ１が設けられており、固定ヤトイ５６ｂにはＶ字状の切欠き部ＮＰ２が設けられている。これらの切欠き部ＮＰ１，ＮＰ２が被検レンズＬ２の外周面に当接される。被検レンズＬ２の大きさに応じて固定ヤトイ５６ｂの取付け位置を適宜変更し、移動ヤトイ５６ａを適宜変位させて移動ヤトイ５６ａと固定ヤトイ５６ｂとで被検レンズＬ２をその径方向外側から挟み込んで固定することにより、被検レンズＬ２を芯出することができる。
【００８６】
上述の構成を有するレンズ中心厚測定器１Ｄを用いてのレンズ中心厚の測定は、例えば実施の形態２または実施の形態３で説明した本発明のレンズ中心厚測定方法に準じて行うことができる。このレンズ中心厚測定器１Ｄでは、実施の形態３のレンズ中心厚測定器１Ｃにおけるのと同様の理由から、接触型測定器を用いてレンズ中心厚を測定する場合に比べて、形状や厚みが異なる種々の被検レンズのレンズ中心厚をその外観品質を低下させることなく正確に測定することが容易である。また、接触型測定器を用いてレンズ中心厚を正確に測定するために行われる測定端子の交換作業が不要であるので、測定の再現性を向上させ易いと共に、測定端子の保管管理も不要である。
【００８７】
そして、光学方式の非接触型測長計を被検レンズの片側に１台のみ配置してレンズ中心厚を測定する場合に比べ、厚肉の被検レンズでもそのレンズ中心厚を正確に測定し易い。また、距離調整機構ＤＲによりセンサヘッド２２ａ，２２ｂ間の距離Ｄを調整することができるので、レンズ中心厚測定器１Ｄでは、形状や厚みが異なる種々の被検レンズのレンズ中心厚を測定可能な利便性が高いものを構成し易い。また、位置調整機構ＰＲを備えているので、各非接触型測長計２ａ，２ｂとして測定可能範囲が比較的狭いものを用いた場合でも、被検レンズＬ１をレンズ支持部材４１Ｂ上に容易に配置することができる。さらには、芯出し部５Ｂにより被検レンズＬ２の光軸を測定軸ＭＡ１，ＭＡ２に容易に一致させることができるので、実施の形態１，２で説明したレンズ中心厚測定器１Ａ，１Ｂに比べても被検レンズＬ２のレンズ中心厚を正確に測定し易い。
【００８８】
（実施の形態５）
本発明のレンズ中心厚測定器には、被検レンズが固定される１つのレンズ固定部を有する芯出し部を設けることもできる。上記のレンズ固定部は、パッシブアライメントにより被検レンズを芯出しするための基準部位を有する。例えば、レンズ固定部に所定の形状公差の下に形成された少なくとも１つの側面や、レンズ固定部に所定の形状公差、位置公差の下に形成された少なくとも１つの凸部ないし凹部を上記の基準部位とすることができる。この芯出し部を設けた場合、被検レンズとしては、光軸と幾何学的中心とが一致ないし略一致するように成形したものが用いられる。
【００８９】
図１０は、被検レンズを芯出するための芯出し部を備えたレンズ中心厚測定器の更に他の例を示す概略図である。図１０に示すレンズ中心厚測定器１Ｅは、図８に示したレンズ保持部４Ｃに代えてレンズ保持部４Ｄを備えているという点、および図８に示した芯出し部５Ｂに代えて芯出し部５Ｃを備えているという点をそれぞれ除き、図８に示したレンズ中心厚測定器１Ｄと同様の構成を有している。図１０に示す構成要素のうちで図８に示した構成要素と共通するものについては、図８で用いた参照符号と同じ参照符号を付してその説明を省略する。
【００９０】
上記のレンズ保持部４Ｄは、図８に示したレンズ保持部材４１Ｂに代えて、レンズ保持部材４１Ｂから移動ヤトイ５６ａ（図８参照）用のガイド部を省略した構成のレンズ保持部材４１Ｃを有しているという点を除き、図８に示したレンズ保持部４Ｃと同様の構成を有している。
【００９１】
一方、芯出し部５Ｃは、被検レンズＬ２をレンズ保持部４Ｄ上に固定する１つのレンズ固定部５８を有している。このレンズ固定部５８は、上端面が被検レンズＬ２での１つのレンズ面に対応した曲面形状に成形されている中空の円筒体であり、その中心軸（上下軸）を測定軸ＭＡ１，ＭＡ２に一致させてレンズ支持部材４１Ｃ上に固定されている。レンズ固定部５８での上端面には、被検レンズＬ２を固定するための粘着剤が塗布されている。また、レンズ固定部５８の外径は被検レンズＬ２の外径と一致しており、レンズ固定部５８の外周面全体が上述の基準部位として機能する。したがって、被検レンズＬ２の外周面がレンズ固定部５８の外周面と全周に亘って一続きとなるように被検レンズＬ２をレンズ固定部５８の上端面に固定することにより、被検レンズＬ２を芯出しして被検レンズＬ２の光軸を測定軸ＭＡ１，ＭＡ２に一致させることができる。
【００９２】
上述の構成を有するレンズ中心厚測定器１Ｅを用いてのレンズ中心厚の測定は、例えば実施の形態２または実施の形態３で説明した本発明のレンズ中心厚測定方法に準じて行うことができる。このレンズ中心厚測定器１Ｅでは、実施の形態４のレンズ中心厚測定器１Ｄにおけるのと同様の理由から、接触型測定器を用いてレンズ中心厚を測定する場合に比べて、形状や厚みが異なる種々の被検レンズのレンズ中心厚をその外観品質を低下させることなく正確に測定することが容易である。また、接触型測定器を用いてレンズ中心厚を正確に測定するために行われる測定端子の交換作業が不要であるので、測定の再現性を向上させ易いと共に、測定端子の保管管理も不要である。
【００９３】
そして、光学方式の非接触型測長計を被検レンズの片側に１台のみ配置してレンズ中心厚を測定する場合に比べ、厚肉の被検レンズでもそのレンズ中心厚を正確に測定し易い。また、距離調整機構ＤＲによりセンサヘッド２２ａ，２２ｂ間の距離Ｄを調整することができるので、レンズ中心厚測定器１Ｅでは、形状や厚みが異なる種々の被検レンズのレンズ中心厚を測定可能な利便性が高いものを構成し易い。また、位置調整機構ＰＲを備えているので、各非接触型測長計２ａ，２ｂとして測定可能範囲が比較的狭いものを用いた場合でも、被検レンズＬ１をレンズ支持部材４１Ｂ上に容易に配置することができる。さらには、芯出し部５Ｃにより被検レンズＬ２の光軸を測定軸ＭＡ１，ＭＡ２に容易に一致させることができるので、実施の形態１，２で説明したレンズ中心厚測定器１Ａ，１Ｂに比べても被検レンズＬ２のレンズ中心厚を正確に測定し易い。
【００９４】
以上、本発明のレンズ中心厚測定器およびレンズ中心厚測定方法について実施の形態を挙げて説明したが、前述のように、本発明は上記の形態に限定されるものではない。例えば、実施の形態１〜５の各々で説明したレンズ中心厚測定器は、２台の非接触型測長計が上下方向に配置される縦型のものであるが、本発明のレンズ中心厚測定器は、２台の非接触型測長計が左右方向に配置される横型のものとすることもできる。横型にする場合には、被検レンズの落下を防止する落下防止部をレンズ保持部に設けることが好ましい。
【００９５】
センサヘッド間の距離を調整する距離調整機構や、レンズ保持部に保持された被検レンズの位置をセンサヘッドの測定軸に沿ってレンズ支持部材ごと変位させる位置調整機構は、手動式および電動式のいずれであってもよく、その構造は適宜変更可能である。必要に応じて、レンズ保持部あるいはレンズ支持部材の位置をセンサヘッドの測定軸と直交する方向に変位させる第２位置調整機構や、センサヘッドまたはレンズ保持部もしくはレンズ支持部材の傾き角を変えることで測定軸の相対的な傾き角を変化させる手動式または電動式の傾き調整機構を付加してもよい。
【００９６】
実施の形態３〜５の各々で説明したレンズ中心厚測定器では、レンズ保持部に保持された被検レンズの位置をセンサヘッドの測定軸に沿ってレンズ支持部材ごと変位させる位置調整機構と、被検レンズの光軸をセンサヘッドの測定軸に一致させるための芯出し部とが併設されているが、これら位置調整機構と芯出し部とを互いに併設するか否かは適宜選択可能である。
【００９７】
図１１は、位置調整機構が芯出し部と併設されていないレンズ中心厚測定器の一例を示す概略図である。同図に示すレンズ中心厚測定器１Ｆは、図６に示したレンズ中心厚測定器１Ｃから芯出し部５Ａを取り除いたものに相当する。図１１に示す各構成要素については、図６を参照して既に説明しているので、ここではその説明を省略する。なお、上記の位置調整機構は、センサヘッド間の距離を調整する距離調整機を有していないレンズ中心厚測定器に設けることも可能である。ただし、形状や厚みが異なる種々の被検レンズのレンズ中心厚を測定し易いレンズ中心厚測定器を得るという観点からは、位置調整機構と距離調整機構とを互いに併設した方が好ましい。
【００９８】
また、実施の形態１〜５の各々で説明したレンズ中心厚測定器は、各非接触型測長計の測定結果とセンサヘッド間の距離の値とを用いて測定者が被検レンズのレンズ中心厚を算出するものであるが、本発明のレンズ中心厚測定器は、各非接触型測長計の測定結果とセンサヘッド間の距離の値とを用いて被検レンズのレンズ中心厚を算出する演算部を備えたものとすることもできる。
【００９９】
図１２は、被検レンズのレンズ中心厚を算出する演算部を備えたレンズ中心厚測定器の一例を示す概略図である。同図に示すレンズ中心厚測定器１Ｇは、図２に示したレンズ中心厚測定器１Ａに演算部６１、入力部６２、および出力部６３を付加した構成を有する。演算部６１は、各非接触型測長計２ａ，２ｂの測長計本体２１ａ，２１ｂに接続されて、これら測長計本体２１ａ，２１ｂの各々から被検レンズＬ１までの距離の測定データを取得し、取得した測定データと入力部６２から入力されたセンサヘッド２２ａ，２２ｂ間の距離Ｄ（図２参照）の値とを用いて被検レンズＬ１のレンズ中心厚を算出して出力部６３に出力させる。
【０１００】
このレンズ中心厚測定器１Ｇを用いれば、ヒューマンエラーが起こり難くなるので、レンズ中心厚の測定結果の信頼性が向上する。なお、実施の形態２で説明した測距部を備えたレンズ中心厚測定器に上述の演算部６１、入力部６２、および出力部６３を具備させてもよい。この場合には、演算部６１を測距部にも接続し、測距部から取得したセンサヘッド２２ａ，２２ｂ間の距離Ｄの測定データと各測長計本体２１ａ，２１ｂから取得した被検レンズＬ１までの距離の測定データとを用いて演算部６１が被検レンズＬ１のレンズ中心厚を算出し、その結果を出力部６３に出力させるように構成することができる。
【０１０１】
また、本発明のレンズ中心厚測定方法は、実施の形態１，２で説明した方法におけるようにマスターレンズのレンズ中心厚の値を用いることなく被検レンズのレンズ中心厚を求める方法であってもよいし、実施の形態３で説明した方法におけるようにマスターレンズのレンズ中心厚の値を用いて被検レンズのレンズ中心厚を求める方法であってもよい。どちらの方法で被検レンズのレンズ中心厚を求めるかは、使用するレンズ中心厚測定器の構成によらず、適宜選択可能である。本発明のレンズ中心厚測定器およびレンズ中心厚測定方法の各々については、上述した形態以外にも種々の変形、修飾、組み合わせ等が可能である。
【符号の説明】
【０１０２】
１Ａ，１Ｂ，１Ｃ，１Ｄ，１Ｅ，１Ｆ，１Ｇ  レンズ中心厚測定器
２ａ，２ｂ  非接触型測長計
３Ａ，３Ｂ  測長計支持部
４Ａ，４Ｂ，４Ｃ，４Ｄ  レンズ保持部
５Ａ，５Ｂ，５Ｃ  芯出し部
２２ａ，２２ｂ  センサヘッド
３８  調整ねじ
４１Ａ，４１Ｂ，４１Ｃ  レンズ支持部材
５１ａ  上側ヤトイ
５１ｂ  下側ヤトイ
５６ａ  移動ヤトイ
５６ｂ  固定ヤトイ
５８  レンズ固定部
Ｌ１，Ｌ２  被検レンズ
ＤＲ  距離調整機構
ＰＲ  位置調整機構
【図１】
2011145135.tif 000003
【図２】
2011145135.tif 000004
【図３】
2011145135.tif 000005
【図４】
2011145135.tif 000006
【図５】
2011145135.tif 000007
【図６】
2011145135.tif 000008
【図７】
2011145135.tif 000009
【図８】
2011145135.tif 000010
【図９】
2011145135.tif 000011
【図１０】
2011145135.tif 000012
【図１１】
2011145135.tif 000013
【図１２】
2011145135.tif 000014